(57)【要約】【課題】ハンドピースの使用中に、ヘッドケース蓋部材が押し下げられることがないようにして、もって、蓋部材に患者の口腔内又は操作者の指等を押し付けても火傷のおそれのない、歯科用ハンドピースを提供する。【解決手段】回転筒３０と、ヘッドケース内上蓋部材２０と、チャック筒４０と、該チャック筒を開閉するチャック開閉部材５０と、ヘッドケースの上部に回動自在に配設されたヘッドケース蓋部材６０と、ヘッドケース内上蓋部材２０とヘッドケース蓋部材６０との間に介装されてヘッドケース蓋部材６０を上方に押し上げているばね部材７０とを有する。ヘッドケース蓋部材６０をばね部材７０に抗して押下してチャック開閉部材５０を介してチャック筒４０を開く。ヘッドケース内上蓋部材２０とヘッドケース蓋部材６０とは、ヘッドケース蓋部材６０の周方向の所定位置でのみ、ヘッドケース蓋部材６０を押下してチャック筒４０を開くことができるようにした。【選択図】図１
2008093115.tif 000002
【特許請求の範囲】
【請求項１】
ヘッドケース内において回転自在に保持された回転筒と、前記ヘッドケース内において前記回転筒の上部を回転自在に保持するヘッドケース内上蓋部材と、前記回転筒の内壁に固定されたチャック筒と、該チャック筒と係合して該チャック筒を開閉するチャック開閉部材と、前記ヘッドケースの上部に回動自在にかつ前記回転筒の軸方向に対して移動可能に配設されたヘッドケース蓋部材と、前記ヘッドケース内上蓋部材と前記ヘッドケース蓋部材との間に介設されて前記ヘッドケース蓋部材を上方に押し上げているばね部材とを有し、前記ヘッドケース蓋部材を前記ばね部材に抗して押下して前記チャック開閉部材を介して前記チャック筒を開くようにした歯科用ハンドピースにおいて、前記ヘッドケース内上蓋部材と前記ヘッドケース蓋部材とは、前記ヘッドケース蓋部材の周方向の所定位置でのみ、該ヘッドケース蓋部材を押下して前記チャック筒を開くことができるようにしたことを特徴とする歯科用ハンドピース。
【請求項２】
前記ヘッドケース内上蓋部材の上部周方向の少なくとも１箇所に凸部（又は凹部）を有し、前記ヘッドケース蓋部材の下部周方向に前記凸部（又は凹部）を通過する凹部（又は凸部）を有し、前記凸部と凹部（又は凹部と凸部）が一致した時に、前記ヘッドケース蓋部材の押下を可能にして前記チャック筒を開くことができるようにしたことを特徴とする請求項１に記載の歯科用ハンドピース。
【請求項３】
前記ヘッドケース蓋部材の周面には、少なくとも１つの突起部を有し、前記ヘッドケース内上蓋部材の周面には、前記突起部を案内するガイド溝を有し、該ガイド溝は、前記突起部を軸方向及び周方向に案内する溝であることを特徴とする請求項１に記載の歯科用ハンドピース。
【請求項４】
前記ヘッドケースの外周部及び前記ヘッドケース蓋部材の外周部には、前記ヘッドケース蓋部材を押下可能である位置を示すマークが付されていることを特徴とする請求項１乃至３のいずれかに記載の歯科用ハンドピース。
【発明の詳細な説明】
【技術分野】
【０００１】
本発明は、マイクロエンジン、エアータービン等の切削バーを着脱自在に装着可能なチャック機構を有する歯科用ハンドピースに関するものであり、より詳細には、歯科治療中に、患者の口腔内あるいは操作者の指に火傷の虞のないようにした、チャック開閉機構を有する歯科用ハンドピースに関するものである。
【背景技術】
【０００２】
図５は、本発明が適用される一例としての従来の歯科用エアータービンハンドピースの
一例を説明するためのヘッド部断面図で、図中、１０はハンドピース１の先端部に設けられたヘッドケース、２０は該ヘッドケース１０内の上部において該ヘッドケース１０に螺着されたヘッドケース内上蓋部材、３０は回転筒で、この回転筒３０は軸受１１，１２のインナーレースに該インナーレースと一体的に回転するように固定され、これら軸受けのアウターレースがそれぞれＯリング２１，２２を介してヘッドケース１０及びヘッドケース内上蓋部材２０に固定され、これによって、インナーレースと一体の回転筒３０及びタービン羽根３１がヘッドケース１０内に回転可能に支持されている。
【０００３】
回転筒３０の内側下方にはチャック筒４０が一体的に固定されているが、この回転筒３０の内周壁とチャック筒４０の外周壁は、上方部において、間隙Ｇを有し、チャック筒４０の周壁には、該間隙Ｇが設けられている長さに亘って、例えば、対向して一対のスリット４０ａが設けられている。
【０００４】
チャック筒４０の上部には、該チャック筒４０を開閉する押し部材（チャック開閉部材）５０が設けられており、この押し部材５０の下端部には、前記チャック筒４０のスリット４０ａに係合する一対の錐形（先細）の先端部５０ａが設けられており、該押し部材５０を下方に押した時に、前記錐形（先細）の先端部５０ａがチャック筒４０のスリット４０ａ内に割り込み、これによって、チャック筒４０の上方を径方向に押し広げ、これによって、該チャック筒４０内に例えば歯牙切削バーを挿脱可能にしている。
【０００５】
６０は、ヘッドケース１０の蓋部材、７０は該ヘッドケース蓋部材６０を常時は上方に押し上げているばね部材で、切削バー挿脱時、術者は、ばね部材（コイルスプリング）７０のばね力に抗してヘッドケース蓋部材６０を下方に押し下げる。ヘッドケース蓋部材６０を押し下げると、押し部材（チャック開閉部材）５０の下方の先端先細部５０ａがチャック筒４０の上方を径方向に押し広げ、該チャック筒４０内に切削バーの挿脱を可能にする。
【０００６】
上述のようにして、ヘッドケース蓋部材６０を押下してチャック筒４０内に切削バーを挿入した後、ヘッドケース蓋部材６０を押下している力を取り去ると、該ヘッドケース蓋部材６０はばね部材７０の復元力により上方の元の位置に戻り、挿入された切削バーは、チャック筒４０の上方の元の状態に戻ろうとする復元力（ばね力）によって銜え込まれ、その状態に保持され（チャックされ）、その状態で、つまり、チャック筒４０によって切削バーをチャックした状態で歯牙の切削等が行われる。切削バーを取り外す時も、同様に、ヘッドケース蓋部材６０を押し下げ、チャック筒４０のスリット４０ａにチャック開閉部材５０の下端部５０ａを割り込ませ、チャック筒４０の上方を径方向に押し広げ（チャックを開き）、挿入されている切削バーを引き抜く。
【発明の開示】
【発明が解決しようとする課題】
【０００７】
上記従来の歯科用ハンドピースにおいては、その使用中、つまり、回転筒３０が高速回転中に、使用者がヘッドケース蓋部材６０を、例えば、患者の口腔内に不用意に押し付けると、その圧力によってヘッドケース蓋部材６０はばね部材（コイルスプリング）７０を押下し、該ヘッドケース蓋部材６０の下面６０ｂが高速回転中の押し部材（チャック開閉部材）５０の上面５０ｂがヘッドケース蓋部材６０に押しつけられる結果、押し部材（チャック開閉部材）５０の上面５０ｂとヘッドケース蓋部材６０の下面６０ｂとの間に摩擦熱が発生し、その熱によりヘッドケース蓋部材６０が加熱されるため、患者が口腔内に火傷を負うことがある。同様に、治療に当たる作業者が前記ハンドピースの動作中に誤ってヘッドケース蓋部材６０を指等に押しつけた場合においても、同様に、指等に火傷を負うことがある。
【０００８】
本発明の目的は、前述のごとき従来のハンドピースのチャック機構の持つ欠点を解消した歯科ハンドピースを提供することにあり、具体的には、ハンドピースの使用中に、ヘッドケース蓋部材６０が押し下げられることがないようにして、もって、蓋部材に患者の口腔内又は操作者の指等を押し付けても火傷のおそれのない、歯科用ハンドピースを提供することにある。
【課題を解決するための手段】
【０００９】
請求項１の発明は、ヘッドケース内において回転自在に保持された回転筒と、前記ヘッドケース内において前記回転筒の上部を回転自在に保持するヘッドケース内上蓋部材と、前記回転筒の内壁に固定されたチャック筒と、該チャック筒と係合して該チャック筒を開閉するチャック開閉部材と、前記ヘッドケースの上部に回動自在にかつ前記回転筒の軸方向に対して移動可能に配設されたヘッドケース蓋部材と、前記ヘッドケース内上蓋部材と前記ヘッドケース蓋部材との間に介設されて前記ヘッドケース蓋部材を上方に押し上げているばね部材とを有し、前記ヘッドケース蓋部材を前記ばね部材に抗して押下して前記チャック開閉部材を介して前記チャック筒を開くようにした歯科用ハンドピースにおいて、前記ヘッドケース内上蓋部材と前記ヘッドケース蓋部材とは、前記ヘッドケース蓋部材の周方向の所定位置でのみ、該ヘッドケース蓋部材を押下して前記チャック筒を開くことができるようにしたことを特徴としたものである。
【００１０】
請求項２の発明は、請求項１の発明において、前記ヘッドケース内上蓋部材の上部周方向の少なくとも１箇所に凸部（又は凹部）を有し、前記ヘッドケース蓋部材の下部周方向に前記凸部（又は凹部）を通過する凹部（又は凸部）を有し、前記凸部と凹部（又は凹部と凸部）が一致した時に、前記ヘッドケース蓋部材の押下を可能にして前記チャック筒を開くことができるようにしたことを特徴としたものである。
【００１１】
請求項３の発明は、請求項１の発明において、前記ヘッドケース蓋部材の周面には、少なくとも１つの突起部を有し、前記ヘッドケース内上蓋部材の周面には、前記突起部を案内するガイド溝を有し、該ガイド溝は、前記突起部を軸方向及び周方向に案内する溝であることを特徴としたものである。
【００１２】
請求項４の発明は、請求項１乃至３のいずれかの発明において、前記ヘッドケースの外周部及び前記ヘッドケース蓋部材の外周部には、前記ヘッドケース蓋部材を押下可能である位置を示すマークが付されていることを特徴としたものである。
【発明の効果】
【００１３】
本発明によれば、ハンドピース使用中、ヘッドケース蓋部材６０に力が加わっても、該ヘッドケース蓋部材６０が下方に押し下げられることがないので、該ヘッドケース蓋部材６０が回転筒３０と一体回転するチャック開閉部材５０に接触することがないので、従来のハンドピースのように、ヘッドケース蓋部材６０に摩擦熱が発生することはない。従って、歯科用ハンドピースの使用中にヘッドケース蓋部材に不用意に触ったとしても、患者や治療作業者が火傷を負う虞がなく、安全である。
【発明を実施するための最良の形態】
【００１４】
図１は、本発明による歯科用ハンドピースの一実施例を説明するためのヘッド部構成図で、図中、図５に示した従来技術と同様の作用をする部分には、図５の場合と同一の参照番号を付し、その説明は省略する。図２は、ヘッドケース蓋部材６０とヘッドケース内上蓋部材２０とこれらヘッドケース蓋部材６０とヘッドケース内上蓋部材２０との間に介装されるばね部材７０との関係を示す概略斜視図である。
【００１５】
図１及び図２に示した実施例において、ヘッドケース内上蓋部材２０の上面には、所定の半径Ｄ上に周方向に所定の長さＬに亘って延長する突起（凸部）２０2が設けられており、これら突起２０2のないところは切り欠き（凹部）２０1となっている。一方、ヘッドケース蓋部材６０の下面には、前記ヘッドケース内上蓋部材２０に設けられた凸部及び凹部位に応じて、凹部６０2及び凸部６０1が設けられている。ここで、これらが設けられている径方向の（中心からの）距離Ｄ，Ｄ1，Ｄ2を、Ｄ1＞Ｄ，Ｄ2＜Ｄとすれば、ヘッドケース内上蓋部材２０の凸部２０2とヘッドケース蓋部材６０の凹部６０2の周方向位置が完全に一致した時は、ヘッドケース蓋部材６０は、ばね部材７０に抗して押し下げることができ、これによって、チャック筒４０を開くことができる。しかし、その位置からずれた位置では、ヘッドケース蓋部材６０の凸部６０1がヘッドケース内上蓋部材２０の凸部２０2に当ってしまい、該ヘッドケース蓋部材２０を押下することができない。
【００１６】
上述のように、ヘッドケース蓋部材６０は、周方向の所定の一点でのみ下方に押し下げることができるので、チャック開閉時のみ、ヘッドケース蓋部材６０を上記所定の位置に回動して切削バーの着脱を行い、その他の時は、該ヘッドケース蓋部材を回動して前記所定の位置からずらしておけば、ヘッドケース蓋部材６０が誤って押下されるようなことはなく、従って、患者や術者が火傷を負う心配もない。
【００１７】
図３は、本発明の他の実施例を説明するためのヘッド部断面構成図、図４は、図３に示した実施例のヘッドケース蓋部材６０とヘッドケース内上蓋部材２０の分解斜視図である（ばね部材７０は省略してある）。而して、この実施例は、ヘッドケース蓋部材６０の周辺部に突起６０ａを設け、更に、ヘッドケース内上蓋部材２０に前記突起６０ａを上下方向（軸方向）及び周方向に案内するガイド溝２０ａを設け、常時は、つまり、ヘッドケース蓋部材６０がばね７０によって上方に押し戻されている時は、該ヘッドケース蓋部材６０を下方に押し下げることができないようにしたものである。
【００１８】
図４において、ヘッドケース蓋部材６０は、通常は、矢印Ａ方向に回動されており、この状態では、該ヘッドケース蓋部材６０を押下しても、該ヘッドケース蓋部材６０を押し下げることができず、従って、該ヘッドケース蓋部材６０が高速回転中のチャック開閉部材に接触する恐れはない。チャック開閉時、術者は、手動にて、ヘッドケース蓋部材６０を矢印Ｂ方向に回動しながら該ヘッドケース蓋部材６０を押下してチャックを開閉する。チャックを開閉して切削バーを挿脱した後は、該ヘッドケース蓋部材６０を矢印Ａ方向に回動しておけば、前述のように、ヘッドケース蓋部材６０を押下することはできず、患者や術者が火傷を負うような恐れはない。
【００１９】
上述のように、本発明は、ヘッドケース蓋部材６０を周方向の所定の位置にした時にのみ、該ヘッドケース蓋部材６０を押下可能にしたものであるが、実際に使用するに当って、その所定の位置を探すのは困難である。そのため、図１及び図３に示すように、ヘッドケース１０の外周面とヘッドケース蓋部材６０の外周面にマーク１０ｃ及び６０ｃを設けておき、これらマークの位置が一致した時にのみ、ヘッドケース蓋部材６０の押下を可能にしておけば、ヘッドケース蓋部材の位置合わせが容易となり、切削バーの挿脱作業がし易くなる。
【図面の簡単な説明】
【００２０】
【図１】本発明による歯科用ハンドピースの一実施例を説明するためのヘッド部構成図である。
【図２】図１に示した実施例の動作説明をするための要部分解斜視図である。
【図３】本発明の他の実施例を説明するためのヘッド部構成図である。
【図４】図３に示した実施例の動作説明をするための要部分解斜視図である。
【図５】本発明が適用される一例としての従来の歯科用ハンドピースのヘッド部構成図である。
【符号の説明】
【００２１】
１０…ヘッドケース、１１，１２…軸受、２０…ヘッドケース内上蓋部材、２１，２２…Ｏリング、３０…回転筒、３１…タービン羽根、４０…チャック筒、５０…チャック開閉部材、６０…ヘッドケース蓋部材、７０…ばね部材。
【図１】
2008093115.tif 000003
【図２】
2008093115.tif 000004
【図３】
2008093115.tif 000005
【図４】
2008093115.tif 000006
【図５】
2008093115.tif 000007